(57)【要約】      （修正有）【課題】口腔照明器に関し、特に、電源を供給するバッテリと口腔を開口するバイトブロックの構造を改善したバイトブロックを用いたＬＥＤ口腔照明器を提供する。【解決手段】Ｕ字状の曲がったフレームと、前記フレームの一端に取り付けられるバイトブロックとを含んで構成され、前記フレームは、前記フレームの一端に装着されるＬＥＤ光源と、前記ＬＥＤ光源のオン／オフ動作を制御するための光源制御スイッチとを含む。【選択図】図５
2011113979.tif 000002
【特許請求の範囲】
【請求項１】
Ｕ字状に曲がったフレームと、
前記フレームの一端に取り付けられるバイトブロックとを含んで構成され、
前記フレームは、
前記フレームの一端に装着されるＬＥＤ光源と、
前記ＬＥＤ光源のオン／オフ動作を制御するための光源制御スイッチとを含むことを特徴とするバイトブロックを用いたＬＥＤ口腔照明器。
【請求項２】
前記フレームは、前記フレームの他端に装着されるバッテリをさらに含むことを特徴とする請求項１に記載のバイトブロックを用いたＬＥＤ口腔照明器。
【請求項３】
前記ＬＥＤ光源は、複数のＬＥＤランプで構成されることを特徴とする請求項２に記載のバイトブロックを用いたＬＥＤ口腔照明器。
【請求項４】
前記バイトブロックは、
口腔内の一側の上下歯により噛まれて口腔を開放するブロック本体と、
前記ブロック本体の一側が穿孔され、前記ＬＥＤ光源が挿入される光源挿入孔と、が備えられる請求項１〜３のうちいずれか１項に記載のバイトブロック。
【請求項５】
前記ブロック本体の上部および下部には前記上下歯により噛まれるバイト凹溝が形成されることを特徴とする請求項４に記載のバイトブロック。
【請求項６】
前記バイトブロックは、前記光源を口腔内部に伝達するために透明体で形成されることを特徴とする請求項５に記載のバイトブロックを用いたＬＥＤ口腔照明器。
【請求項７】
前記バッテリは充電が可能なバッテリであり、
前記フレームは前記バッテリを電気充電するための電気充電端子をさらに備えることを特徴とする請求項１〜３のうちいずれか１項に記載のバイトブロックを用いたＬＥＤ口腔照明器。
【請求項８】
前記フレームは、前記ＬＥＤ光源の明るさを調節する明るさ調節制御器をさらに含むことを特徴とする請求項１に記載のバイトブロックを用いたＬＥＤ口腔照明器。
【請求項９】
前記ＬＥＤ光源は、紫外線を放出するＵＶ ＬＥＤランプをさらに含むことを特徴とする請求項１に記載のバイトブロックを用いたＬＥＤ口腔照明器。
【発明の詳細な説明】
【技術分野】
【０００１】
本発明は、口腔照明器に関し、特に、電源を供給するバッテリと口腔を開口するバイトブロック(Ｂｉｔｅ ｂｌｏｃｋ)の構造を改善したバイトブロックを用いたＬＥＤ口腔照明器に関する。
【背景技術】
【０００２】
一般に、歯科で歯を治療するためには、まず、被診療者が歯科用ユニットチェアに座り、前記歯科用ユニットチェアに備えられた照明装置を用いて被診療者の口腔を照明して診療者の視野を確保する。
【０００３】
次いで、診療者は、前記照明装置を被診療者の口腔内部の患部に照らしながら、スリーウェイシリンジ(ｔｈｒｅｅ-ｗａｙ ｓｙｒｉｎｇｅ)、ハイスピードハンドピース(ｈｉｇｈ ｓｐｅｅｄ ｈａｎｄｐｉｅｃｅ)、スケーラー(ｓｃａｌｅｒ)およびロースピードハンドピース(ｌｏｗ ｓｐｅｅｄ ｈａｎｄｐｉｅｃｅ)等を用いて診療および治療を行う。
【０００４】
一方、歯科治療の特性上、被診療者の歯の患部が非常に小さく、その周りに多くの神経が連結されているので、細密な診療および治療が要求され、特に、診療者が前記被診療者の口腔内部を明確に確認するためには前記診療者の視野確保が非常に重要である。
【０００５】
しかしながら、前記従来の照明装置は、診療者が歯科診療中に調整しなければならないため、熟練の診療者も照明を調整し難く、前記従来の歯科用ユニットチェアに備えられた照明装置を用いて前記被診療者の口腔内部を口腔外部から照明するため、被診療者の口腔内部全体を明るく照明するのに限界がある。
【０００６】
すなわち、前記従来の照明装置は、口腔外部から口腔内部を照明するので、被診療者の口腔内部に影が発生して口腔内部に光が照らされない部分が生じるという問題点があった。
【０００７】
なお、前記従来の照明装置は、前記歯科用ユニットチェアに電源線を介して連結される構造を有するので、歯科診療および治療過程中に前記電源線により診療者および被診療者が不便を感じるという問題点もあった。
【０００８】
上述の問題点を改善するために、本出願人は、開口ホルダを用いて被診療者が唇の両側を左右方向に広げた状態を維持し、バッテリが内蔵され、口腔内部を照らすことができる開口器を有する口腔照明装置(特許文献１)を開発するに至った。
【０００９】
図１〜図２を参照して前記開口器を有する口腔照明装置を詳しく説明する。前記開口器を有する口腔照明装置は、一対のホルダ１０(開口ホルダ)と、バッテリケース３０と、ボディー４０とを含んでなる。
【００１０】
また、前記一対のホルダ１０は、ＬＥＤ光源１３を備え、所定の間隔をおいて相互対向配置されており、被診療者の唇(Ｌ)の両側を広げて支持したまま、前記ＬＥＤ光源１３を用いて口腔内部を照明する。 
すなわち、前記開口器を有する口腔照明装置は、開口ホルダ１０が被診療者の唇の両側を把持して口腔を開口したまま照明できるので、診療者が別途の照明器を操作する必要がないという利点がある。 
しかしながら、前記開口器を有する口腔照明装置は、被診療者の唇の両側を把持するので、診療のときに必要な上下方向への開口を円滑にし難く、診療機構のハンドピース、スケーラーの使用に影響を与えるという問題点が生じた。
【００１１】
また、前記開口器を有する口腔照明装置は、前記ホルダ１０と前記ＬＥＤ光源１３が一体型に構成され、被診療者の衛生のために口腔照明装置を高温のスチームに一定時間露出させて滅菌した後に再使用するので、高温のスチームにより前記ＬＥＤ光源１３が損傷したり、ＬＥＤ光源１３の寿命が短縮するという問題点が生じた。
【００１２】
また、前記開口器を有する口腔照明装置は、被診療者の唇を支持して口腔を広げた状態に維持するため、歯科治療時に歯ぐきを押圧して被診療者の痛みを引き起こすという問題がある。
【００１３】
また、前記開口器を有する口腔照明装置は、前記ホルダ１０に被診療者の唇を把持して支持する構造を有するため、被診療者の口の大きさにより使用に制限があるという問題点がある。
【００１４】
それ故に、本出願人は、前記ホルダ１０を用いて唇を支持せず、被診療者が歯で軽くバイトブロック(Ｂｉｔｅ ｂｌｏｃｋ)を噛んで口腔を開放した後、被診療者の口腔内部および後頭部内部を照明することが可能なバイトブロックを用いた口腔内照明器具および口腔内手術照明器具(特許文献２、特許文献３)を開発した。
【００１５】
図３〜図４を参照してより詳しく説明する前記バイトブロックを用いた口腔内照明器具および口腔内手術照明器具は、被診療者の口腔内の歯に噛まれるバイトブロック５０と、前記バイトブロック５０から延びて複数の照明灯６１とが設けられる照明板６０が備えられる。
【００１６】
すなわち、被診療者は、前記バイトブロック５０を一側の上顎と下顎間に軽く噛んで治療を受けることができるので、あごに痛みがある患者も容易に使用でき、前記照明板６０と前記バイトブロック５０とを互いに分離することができるので、より衛生的に洗浄できるという利点がある。
【００１７】
しかしながら、前記照明器具および手術照明器具は、バッテリが前記バイトブロック５０の内部に備えられる構造からなるので使い捨てできず、また、前記バイトブロック５０自体の洗浄が容易でないためすぐれた衛生状態を維持し難いという問題点がある。
【００１８】
また、前記照明灯６１が前記バイトブロック５０から延びる照明板６０に取り付けられるため前記照明板６０により影が発生する問題点があり、特に、被診療者の上顎歯の舌の側面、前記バイトブロック５０を噛む奥歯に対向する他側の上下顎歯、のど、舌下などは照明が容易でないという問題点が生じた。
【００１９】
また、前記照明器具および手術照明器具は、治療のとき、被診療者の口腔内部に位置する構造であるので、前記被診療者の唇が簡単に閉じられるという問題点があり、前記診療者は、別途の補助器具を用いて前記被診療者の口腔を開放しなければならないという煩わしさがあった。
【００２０】
また、前記照明器具および手術照明器具は、診療中にバッテリが放電した場合、前記被診療者の口腔外部に前記照明器具および手術照明器具を抜き取った後に、前記バッテリを交換したり充電したりしなければならないため不便であった。
【先行技術文献】
【特許文献】
【００２１】
【特許文献１】韓国登録特許第０６７３４７９号公報
【特許文献２】韓国特開第２００９-００２５９９７号公報
【特許文献３】韓国特開第２００９-００３１６４５号公報
【発明の概要】
【発明が解決しようとする課題】
【００２２】
本発明者らは、従来の歯科用照明装置の問題点を改善するために研究を重ねた結果、洗浄が容易であるため衛生的であり、被診療者の口腔を楽に広げて診療者の診療に不具合が発生せず、被診療者の口腔内部、特に、被診療者の上下顎歯の舌の側面、前記バイトブロックを噛む奥歯に対向する他側の上下顎歯、のど、舌下などを全体的に明るく照明することにより、前記診療者の視野確保を容易にし、放電しても前記被診療者の口腔外部に抜き取らなくても診療が可能なバイトブロックを用いたＬＥＤ口腔照明器の技術的構成を開発して本発明を完成した。
【００２３】
これにより、本発明の目的は、被診療者の口腔内部、特に、被診療者の上下顎歯の舌の側面、前記バイトブロックを噛む奥歯に対向する他側の上下顎歯、のど、舌下などを効果的に照明して診療者の視野確保が容易なバイトブロックを用いたＬＥＤ口腔照明器を提供することにある。
【００２４】
また、本発明の他の目的は、バイトブロックを使い捨てでき、再使用しても高温での洗浄が可能なためすぐれた衛生状態を維持できるバイトブロックを用いたＬＥＤ口腔照明器を提供することにある。
【００２５】
また、本発明の他の目的は、診療および治療のとき、被診療者が楽に口腔を開放した状態を維持できるバイトブロックを用いたＬＥＤ口腔照明器を提供することにある。
【００２６】
また、本発明の他の目的は、診療中にバッテリが放電した場合、前記バッテリの交替、または、充電が簡易なバイトブロックを用いたＬＥＤ口腔照明器を提供することにある。
【課題を解決するための手段】
【００２７】
前記の目的を達成するために、本発明は、Ｕ字状の曲がったフレームと、前記フレームの一端に取り付けられるバイトブロックとを含んで構成され、前記フレームは、前記フレームの一端に装着されるＬＥＤ光源と、前記ＬＥＤ光源のオン／オフ動作を制御するための光源制御スイッチとを含むことを特徴とするバイトブロックを用いたＬＥＤ口腔照明器を提供する。
【００２８】
望ましい実施例において、前記フレームは前記フレームの他端に装着されるバッテリをさらに含む。
【００２９】
望ましい実施例において、前記ＬＥＤ光源は複数のＬＥＤランプで構成される。
【００３０】
望ましい実施例において、前記バイトブロックは、口腔内の一側の上下の歯により噛まれて口腔を開放するブロック本体と、前記ブロック本体の一側が穿孔され、前記ＬＥＤ光源が挿入される光源挿入孔とが備えられる。
【００３１】
望ましい実施例において、前記ブロック本体の上部および下部には前記上下の歯により噛まれるバイト凹溝が形成される。
【００３２】
望ましい実施例において、前記バイトブロックは前記光源を口腔内部に伝達するために明体で形成される。
【００３３】
望ましい実施例において、前記バッテリは充電が可能であり、前記フレームは前記バッテリを電気充電するための電気充電端子をさらに備える。
【００３４】
望ましい実施例において、前記フレームは前記ＬＥＤ光源の明るさを調節する明るさ調節制御器をさらに含む。
【００３５】
望ましい実施例において、前記ＬＥＤ光源は紫外線を放出するＵＶ ＬＥＤランプをさらに含む。
【発明の効果】
【００３６】
本発明は次のような優れた効果を有する。
【００３７】
まず、本発明のバイトブロックを用いたＬＥＤ口腔照明器によると、被診療者の口腔内部をバイトブロックの内部に位置するＬＥＤ光源を用いて照明するので、被診療者の口腔内部、特に、被診療者の上下顎歯の舌の側面、前記バイトブロックを噛む奥歯に対向する他側の上下顎歯、のど、舌下などを均一に照明でき、診療者の視野をより効果的に確保することができるという効果がある。
【００３８】
また、本発明のバイトブロックを用いたＬＥＤ口腔照明器によると、バイトブロックとＬＥＤ光源を備えるフレームとを互いに分離して取り付けが可能であるので、バイトブロックを使い捨てでき、再使用時にバイトブロックを高温で滅菌することができるのですぐれた衛生状態を維持でき、各被診療者の２次的感染を防止できる効果も得ることができる。
【００３９】
また、本発明のバイトブロックを用いたＬＥＤ口腔照明器によると、口腔外部のＵ字状に曲がったフレームが口腔内部のバイトブロックと連結されるので、フレームにより被診療者の一側の唇が支持され、被診療者は特に力を入れなくても口腔が開放された状態を維持でき、あごに痛みがある被診療者も気軽に治療を受けることができる効果を得ることができる。
【００４０】
また、本発明のバイトブロックを用いたＬＥＤ口腔照明器によると、バッテリが前記フレームの内部、すなわち、被診療者の口腔外部に備えられるので、治療中にバッテリが放電してもバイトブロックを被診療者の口腔外部に抜き取ることなく、充電および交替して診療を行うことができ、バッテリのサイズを大きくして照明時間を向上させることができる効果を得ることができる。
【図面の簡単な説明】
【００４１】
【図１】従来の開口器を有する口腔照明装置を示す斜視図である。
【図２】従来の開口器を有する口腔照明装置を口腔に装着した使用状態を示す斜視図である。
【図３】従来の照明可能なバイトブロックを用いた口腔内照明器具を示す斜視図である。
【図４】従来の口腔内手術照明器具を示す斜視図である。
【図５】本発明の一実施例に係るＬＥＤ口腔照明器を示す斜視図である。
【図６】本発明の一実施例に係るＬＥＤ口腔照明器のフレームとバイトブロックとを示す分解斜視図である。
【図７】本発明の一実施例に係るＬＥＤ口腔照明器の使用状態を示す斜視図である。
【発明を実施するための形態】
【００４２】
本発明で使用される用語は現在広く使われる一般的な用語を選択したが、特定の場合は出願人が任意に選定した用語もあり、この場合には単純な用語の名称でない発明の詳細な説明部分に記載されたり使用された意味を考慮して把握しなければならない。
【００４３】
以下、添付図面および望ましい実施例を参照して本発明の技術的構成を詳細に説明する。
【００４４】
しかしながら、本発明はこれらの実施例に限定されるものではなく、明細書全体に亘って同一の符号は同一の構成要素を示す。
【００４５】
図５は本発明の一実施例に係るＬＥＤ口腔照明器を示す斜視図であり、図６は本発明の一実施例に係るＬＥＤ口腔照明器のフレームとバイトブロックとを示す分解斜視図であり、図７は本発明の一実施例に係るＬＥＤ口腔照明器の使用状態を示す斜視図である。
【００４６】
図５〜図７に示すように、本発明の一実施例に係るバイトブロックを用いたＬＥＤ口腔照明器は、口腔１００の外部に備えられるフレーム３００および口腔内部に備えられ、一側の上顎および下顎歯に噛まれるバイトブロック２００とを含む。
【００４７】
前記フレーム３００は、Ｕ字状に曲がった形状に備えられ、一端が前記被診療者の口腔内側に挿入され、他端は前記被診療者の口腔外部に露出し前記被診療者の一側の唇と頬を軽く覆い、Ｕ字状に曲げられた曲がり部は、前記被診療者の唇の端を支持することにより、前記被診療者がより楽に口腔を開放した状態を維持できるようにする。
【００４８】
また、前記フレーム３００は、ＬＥＤ光源３４０、光源制御スイッチ３２０、バッテリ３３０および電気充電端子３１０を含む。 
また、前記フレーム３００は、後述するＬＥＤ光源３４０の明るさの程度を制御できるように明るさ調節制御器(図示せず)をさらに備えることができ、前記明るさ調節制御器は、前記ＬＥＤ光源３４０に供給される電源を制御して明るさを調節する。
【００４９】
また、前記ＬＥＤ光源３４０は、前記フレーム３００の一端に装着され前記被診療者の口腔内側に挿入できるものであって、複数のＬＥＤランプが備えられ前記被診療者の口腔内側を明るくし、後述するバイトブロック２００の内部に収容された状態で点灯される。
【００５０】
また、前記ＬＥＤ光源３４０は、前記フレーム３４０の一端から延びるバー状の面光源であって、前記被診療者の口腔内部の奥深い部分、例えば、のどおよび舌下などをより効果的に照明することができ、従来のバイトブロックを用いた口腔内照明器具および口腔内手術照明器具と比較して照明板で照明し難かった上下顎歯の舌の側面、前記バイトブロックを噛む奥歯に対向する他側の上下顎歯まで照明することができるという利点がある。
【００５１】
また、前記ＬＥＤ光源３４０は、前記被診療者の診療および治療時に発生し得る細菌の感染を防止したり、発生した細菌を殺菌できるだけでなく、虫歯の有無を判別することができるように、例えば紫外線を放出するＵＶ ＬＥＤランプが備えられ、前記ＵＶ ＬＥＤランプと前記複数のランプを同時に備えることができる。
【００５２】
すなわち、前記ＬＥＤ光源３４０は、ＬＥＤランプ以外に、小型で、且つ人の口腔内部を安全に照明できるランプならば、公知のいかなるランプでも良い。
【００５３】
また、前記光源制御スイッチ３２０は、前記フレーム３００の外部表面に備えられ、前記ＬＥＤ光源３４０のオン／オフ動作を制御するためのものであり、本発明の一実施例では、前記診療者が簡単につけたり消したりすることが可能なようにタッチ方式で備える。それ以外にも、前記光源制御スイッチ３２０は一般的なボタン型、接点型スイッチなどが使用できる。 
また、前記バッテリ３３０は、前記フレーム３００の他端に収納されて装着され、前記ＬＥＤ光源３４０に電源を供給し、望ましくは、充電の可能なバッテリが備えられる。
【００５４】
すなわち、前記バッテリ３３０は、前記被診療者の口腔内側に位置せず、外部に位置するように備えられるので、前記バッテリ３３０の大きさおよびサイズの制限がほとんどなく、前記バッテリ３３０の容量を大きくすることができるという利点がある。
【００５５】
また、前記バッテリ３３０は、セル(図示せず)、保護回路(図示せず)および電流量計数器(図示せず)を含む。
【００５６】
また、前記セルは、保存された電源が充電および放電されるように備えられるものであり、充電された電源を前記ＬＥＤ光源３４０に供給する。
【００５７】
また、前記保護回路は、外部の電源を前記セルに充電する時に過電流および過電圧によるセル破損を防止する。
【００５８】
また、前記計数器は、後述する充電端子３１０により前記セルに流入したり、流出する電流量を計数し、計数された電流量の計数値を制御部(図示せず)に伝達し、前記制御部は、一般的な充電ランプまたはＬＣＤなどのような表示手段(図示せず)に前記計数値による信号を送り、バッテリ３３０の充放電状態を表示する。  
また、前記電気充電端子３１０は、前記バッテリ３３０に外部電源を充電するための端子であり、例えば、前記外部電源と電気的に接続できるソケットが備えられる。
【００５９】
すなわち、前記電気充電端子３１０は、前記バッテリ３３０が前記ＬＥＤ光源３４０に電源を供給する場合にも充電が可能なようにし、治療および診療中に前記バッテリ３３０が放電しても、被診療者の口腔外部に抜き取らないまま充電が可能なようにする。
【００６０】
前記バイトブロック２００は、前記フレーム３００と取り付けが可能な構造であって、前記フレーム３００の一端に取り付けられるように備えられ、前記被診療者の口腔内側で前記被診療者の歯の上顎と下顎との間に噛まれ、口腔を広げたまま支持し、ブロック本体２１０、光源挿入孔２１１、バイト凹溝２１４およびバイト突起２１５を含む。
【００６１】
すなわち、前記バイトブロック２００は、前記フレーム３００から分離が可能であるので、使い捨てして交替でき、再使用しても前記フレーム３００から分離して高温で滅菌し、すぐれた衛生状態を維持することができる。
【００６２】
また、前記バイトブロック２００は、各被診療者の口腔状態または大きさなどに合うように交替して使用できるように、大きさの相違する複数のブロックが一つのバイトブロックのセットを構成して備えられる。
【００６３】
また、前記ブロック本体２１０は、前記被診療者の口腔内の一側の上下歯により噛まれ口腔を開放するように備えられるものであり、前記バイトブロック２００の本体を構成する。
【００６４】
また、前記ブロック本体２１０は、人体に無害な樹脂材からなり、その他、例えば、表面はソフトで、人体に無害なラテックス、ゴム、シリコンなどがコーティングされる。
【００６５】
また、前記ブロック本体２１０は、前記被診療者の口腔内部に向かって光を照明できるように前記ＬＥＤ光源３４０が収容され、前記ＬＥＤ光源３４０から放出される光が口腔内部に伝達されるように透明体で備えられる。
【００６６】
すなわち、前記ＬＥＤ光源３４０から照射された光により口腔内部に光が照射されない光の死角領域が解消されると共に、口腔内部に影などが発生しなくなり、診療者は口腔内部を細密に診療および治療することできるようになる。
【００６７】
また、前記光源挿入孔２１１は、前記ブロック本体２００の一側に穿孔され、前記ＬＥＤ光源３４０が挿入される。
【００６８】
また、前記光源挿入孔２１１は、前記バイトブロック２００に挿入される前記ＬＥＤ光源３４０の光が前記被診療者の口腔中央部を照明するように穿孔される。
【００６９】
また、前記バイト凹溝２１４は、前記ブロック本体２１０の上下部に備えられ、被診療者の上下歯により噛まれるように“Ｕ”字状の断面を有する溝状に備えられ、前記被診療者が特に力を加えなくても前記バイトブロック２００が前記被診療者の歯から離脱しないようにし、前記バイトブロック２００がより効果的に固定されるようにする。
【００７０】
また、前記バイト突起２１５は、前記バイト凹溝２１４の底部に備えられるものであり、前記バイトブロック２００が被診療者の歯から滑ることを防止する。
【００７１】
また、本発明の一実施例に係るバイトブロックを用いたＬＥＤ口腔照明器の使用方法を簡単に説明すると、まず、前記バッテリ３３０を充電し、前記表示手段に前記バッテリ３３０の充電完了が表示されると、前記フレーム３００と前記バイトブロック２００を結合し、前記被診療者の上下歯に噛まれて口腔を上下に広げる。  次いで、発光体のＬＥＤ光源３４０を点灯するために前記光源制御スイッチ３２０を操作すると、前記バッテリ３３０から各ＬＥＤ光源３４０に電源が供給され、前記各ＬＥＤ光源３４０が点灯されて前記被診療者の口腔内部を照明し、診療者は前記被診療者の口腔内側の患部を診療および治療する。
【００７２】
次いで、前記診療者により前記被診療者の治療および診療が完了すると、前記バイトブロック２００およびフレーム３００を前記被診療者の歯から分離した後、前記バイトブロック２００を前記フレーム３００から分離して前記バイトブロック２００を高温で洗浄する。
【００７３】
次いで、前記バイトブロック２００をより衛生的に管理するために、前記バイトブロック２００を滅菌規定に従い一定時間高温のスチームに露出して滅菌消毒する。
【００７４】
すなわち、前記バイトブロック２００は前記フレーム３００と 脱着が可能であり、前記バイトブロック２００の内部にバッテリ３３０またはＬＥＤ光源３４０が形成されず、前記フレーム３００に前記バッテリ３３０およびＬＥＤ光源３４０が備えられる構造を有することにより、洗浄または滅菌消毒による前記バッテリ３３０およびＬＥＤ光源３４０の損傷および寿命の短縮を防止することができる。
【符号の説明】
【００７５】
１００              口腔               ２００      バイトブロック
２１０              ブロック本体                ２１１                            光源挿入孔
２１４              バイト凹溝                  ２１５                            バイト突起
３００              フレーム                    ３１０                            電気充電端子
３２０              光源制御スイッチ        ３３０  バッテリ
３４０              ＬＥＤ光源
【図１】
2011113979.tif 000003
【図２】
2011113979.tif 000004
【図３】
2011113979.tif 000005
【図４】
2011113979.tif 000006
【図５】
2011113979.tif 000007
【図６】
2011113979.tif 000008
【図７】
2011113979.tif 000009